(57)【要約】【目的】部屋側からの配線作業が可能であり且つ床面の不陸を吸収できる新規な構成の幅木を提供する。【構成】幅木本体が上ベース１と下ベース２とに分割され、上ベースと下ベースの少なくともいずれか一方には配線収容溝５，７が表面側に開口して形成されており、さらに、上ベースおよび下ベースの表面を連続して被覆するカバー３を有する。上ベースと下ベースの少なくともいずれか一方にカバー固定溝４が表面側に開口して形成され、これにカバーの裏面側凸条３ｄを嵌合することによりカバーが装着される。上ベースと下ベースとの間に任意高さの隙間が形成されるように施工することで床面の不陸を吸収することができる。【選択図】　　　図５
2004108037.tif 000002
【特許請求の範囲】
【請求項１】
幅木本体が上ベースと下ベースとに分割され、上ベースと下ベースの少なくともいずれか一方には配線収容凹部が表面側に開口して形成されており、さらに、上ベースおよび下ベースの表面を連続して被覆するカバーを有してなることを特徴とする幅木。
【請求項２】
配線収容凹部の下面が裏面側に向かうにつれて傾斜する傾斜面とされていることを特徴とする請求項１に記載の幅木。
【請求項３】
上ベースと下ベースの少なくともいずれか一方にカバー固定溝が表面側に開口して形成されるとともに、カバーには該カバー固定溝と嵌合する裏面側凸条が設けられており、カバーの裏面側凸条をカバー固定溝に嵌合することによりカバーが装着されることを特徴とする請求項１または２に記載の幅木。
【請求項４】
カバーの裏面側に両面テープが設けられており、この両面テープにより上ベースおよび下ベースの表面にカバーが貼着されることを特徴とする請求項１ないし３のいずれかに記載の幅木。
【請求項５】
幅木本体において上ベースと下ベースとの間に任意高さの隙間が形成されることを特徴とする請求項１ないし４のいずれかに記載の幅木。
【発明の詳細な説明】
【０００１】
【発明の属する技術分野】
本発明は家屋の部屋の隅部に施工される幅木に関し、特に配線用部材と兼用できる構造を有する幅木に関する。
【０００２】
【従来の技術】
従来の幅木構造としては、表面側下端に切り欠きを有する上部幅木と、表面側上端に前記切り欠きと嵌合する凸部を有する下部幅木とからなり、且つ、下部幅木の下面または裏面に別の切り欠きが形成されたものが知られており、下部幅木の下面または裏面に形成された切り欠きは、室内の電気配線や床暖房に用いられる電気コード・温水パイプ等の配線・配管用スペースとして利用される（たとえば、特許文献１および２参照）。
【０００３】
【特許文献１】
特開２０００−２２０２８５号公報（図４）
【特許文献２】
特開２００１−１８２３０８号公報（図１、図２）
【０００４】
また、接合用凹部および電源コード収容用凹部が長手方向に沿って形成された幅木本体と、接合用凹部に接合させるための接合用凸部が長手方向に沿って形成された蓋用幅木とからなる構成の造作部材も公知である（たとえば、特許文献３参照）。
【０００５】
【特許文献３】
実開平６−１５９３号公報（図１）
【０００６】
【発明が解決しようとする課題】
特許文献１および２に記載の幅木構造では、下部幅木の下方裏面側に切り欠きが形成され、したがって、配線や配管のためのスペースが下部幅木の裏面側（壁面および床面との間）に形成されることになるため、下部幅木を施工した後に部屋側から配線を通すことができない。
【０００７】
特許文献３に記載の幅木構造によれば、幅木本体の表面側に形成された電源コード収容用凹部に電源コード等を収容した後に、接合用凹部と接合用凸部との嵌合によって蓋用幅木を取り付けることができるが、この幅木は上下に分割された構成を採用しておらず、幅木本体および蓋用幅木の下端面が床面と接触して支持されることになるため、床面の不陸に対応できないと課題を抱えている。
【０００８】
【課題を解決するための手段】
そこで本発明は、上記問題を解決し、部屋側からの配線作業が可能であり且つ床面の不陸を吸収できる新規な構成の幅木を提供することを目的とする。
【０００９】
この目的を達成するため、請求項１にかかる本発明は、幅木本体が上ベースと下ベースとに分割され、上ベースと下ベースの少なくともいずれか一方には配線収容凹部が表面側に開口して形成されており、さらに、上ベースおよび下ベースの表面を連続して被覆するカバーを有してなることを特徴とする幅木である。
【００１０】
請求項２は、請求項１に記載の幅木において、配線収容凹部の下面が裏面側に向かうにつれて傾斜する傾斜面とされていることを特徴とする。
【００１１】
請求項３は、請求項１または２に記載の幅木において、上ベースと下ベースの少なくともいずれか一方にカバー固定溝が表面側に開口して形成されるとともに、カバーには該カバー固定溝と嵌合する裏面側凸条が設けられており、カバーの裏面側凸条をカバー固定溝に嵌合することによりカバーが装着されることを特徴とする。
【００１２】
請求項４は、請求項１ないし３のいずれかに記載の幅木において、カバーの裏面側に両面テープが設けられており、この両面テープにより上ベースおよび下ベースの表面にカバーが貼着されることを特徴とする。
【００１３】
請求項５は、請求項１ないし４のいずれかに記載の幅木において、幅木本体において上ベースと下ベースとの間に任意高さの隙間が形成されることを特徴とする。
【００１４】
【発明の実施の形態】
図１は本発明の一実施形態による幅木を示し、上ベース１と下ベース２とに分割された幅木本体と、上ベース１および下ベース２の表面を連続して被覆するカバー３を有して構成されている。
【００１５】
これらの構成部材（上ベース１、下ベース２およびカバー３）は、無垢の木材・合板・集成材・単板積層材・木質繊維板・パーティクルボード・オリエンテッドストランドボードなどの木質系材料、硬質塩化ビニル樹脂・軟質塩化ビニル樹脂・ＡＢＳ樹脂などの各種合成樹脂を板状や棒状に成型して得られる合成樹脂系材料、ステンレス・アルミニウムなどからなる板状や棒状の金属系材料を含む任意の材料で形成することができる。各構成部材の表面には、着色塗装、柄模様印刷、化粧単板・化粧紙・化粧合成樹脂などの化粧シート貼着などによる任意化粧を施すことができる。
【００１６】
図２に詳しく示すように、上ベース１は幅方向に長い長尺体であって、カバー固定溝４および配線収容凹部５が、いずれも幅木の長手方向（幅方向）に延長し且つ表面側に開口するように形成されている。配線収容凹部５の下面は、裏面側に向かうにつれて傾斜する傾斜面とされており、この実施形態では傾斜角度１５°の傾斜面５ａとされている。
【００１７】
また、これらカバー固定溝４を含む上ベース１の表面にはシート６があらかじめ貼着されている。シート６の材質は任意であり、天然木材を切削して得られる天然突板、人工突板、不織布、紙、オレフィン樹脂・塩化ビニル樹脂・ポリエステル樹脂・アクリル樹脂その他の合成樹脂などからなるシートを用いることができる。シート６の表面には任意化粧を施すことができる。この実施形態では、配線収容凹部５よりも下方の上ベース表面を被覆するように貼着されたシート６ａと、配線収容凹部５よりも上方からカバー固定溝４の内面を含む上ベース表面を被覆し且つ上ベース頂面から裏面に部分的に回り込むように貼着されたシート６ｂが用いられている。
【００１８】
図３に詳しく示すように、下ベース２は幅方向に長い長尺体であって、その表面から頂面にかけて配線収容凹部７が幅木の長手方向（幅方向）に延長形成されている。配線収容凹部７の下面は、上ベース１における配線収容凹部５におけると同様、裏面側に向かうにつれて傾斜する傾斜面とされており、この実施形態では傾斜角度１５°の傾斜面７ａとされている。さらに、シート８が、配線収容凹部７よりも下方の下ベース表面を被覆し且つ下ベース底面に部分的に回り込むように貼着されている。
【００１９】
カバー３は図４に示すような断面形状を有しており、上ベース１の頂面を被覆する頂面被覆部３ａと、上ベース１のカバー固定溝４より上方の表面領域を被覆する上方表面被覆部３ｂと、上ベース１のカバー固定溝４より下方の表面領域から下ベース２の表面にかけて連続して被覆する下方表面被覆部３ｃと、これら上方表面被覆部３ｂと下方表面被覆部３ｃとの間に形成されて上ベース１のカバー固定溝４に嵌合可能な寸法および形状を有する裏面側凸条３ｄとを有している。また、カバー３の上方表面被覆部３ｂの裏面側には両面テープ９が設けられている。
【００２０】
以上に説明した各構成部材（上ベース１、下ベース２およびカバー３）を用い、まず下ベース２を幅木を施工すべき部屋の床面隅部に固定する。下ベース２の固定は、配線収容凹部７を利用して釘を床面に対して打ち込んで釘着したり、下ベース２の底面を両面テープで床面に対して接着固定することによって行うことができる。
【００２１】
次いで、下ベース２上に上ベース１を固定する。上ベース１の固定は、配線収容凹部５を利用して釘を壁面に対して打ち込んで釘着したり、上ベース１の裏面を両面テープで壁面に対して接着固定することによって行うことができる。このとき、図１のように上ベース１を下ベース２上に密接させて施工してもよいが、図５のように上ベース１と下ベース２との間に適当な隙間１０が設けられるように上ベース１の高さ位置を決めて施工することが好ましい。
【００２２】
このようにして上ベース１と下ベース２とからなる幅木本体が部屋の隅部に施工されるが、この施工後の状態において、上ベース１の表面側にはカバー固定溝４と配線収容凹部５が開口しており、また、下ベース２の表面側には配線収容凹部７が開口している。したがって、幅木本体の施工後に、電源ケーブル、パソコン用ＬＡＮケーブル、電話線などの配線１１，１１を配線収容凹部５，７に収容させることができ、その後、カバー３の裏面側凸条３ｄを上ベース１のカバー固定溝４に嵌合させ且つ両面テープ９によりカバー３の上方表面被覆部３ｂを上ベース１の上方部の表面に接合させることによって、カバー３が装着され、配線収容凹部５，７に収容した配線１１，１１を隠蔽することができる。配線収容凹部５，７の下面は傾斜面５ａ，７ａとされているので、配線の敷設作業が簡単であるとともに配線の納まりが良好となる。また、上ベース１のカバー固定溝４の内面がシート６ｂで被覆されているため、カバー３の裏面側凸条３ｄが嵌入しやすくなり、カバー３の装着作業も容易である。
【００２３】
カバー３の下方表面被覆部３ｃは、下ベース２の配線収容凹部７を隠蔽するに十分な長さを有しているが、下ベース２に対しては直接的に固着ないし貼着されていない。したがって、特に図５に示すように上ベース１と下ベース２との間にあらかじめ隙間１０が形成されるように施工した場合には、下ベース２が上ベース１に対して相対的に上下動することが許容され、床面の不陸を吸収することができる。不陸吸収作用を有効に実現するため、カバー３の下方表面被覆部３ｃの長さは、施工当初において、下ベース２の配線収容凹部７を隠蔽するに十分であるとともに、下ベース２の下端（床面）との間に若干の隙間１２が形成されるような寸法に設定することが好ましい。
【００２４】
【発明の効果】
本発明の幅木によれば、幅木本体が上ベースと下ベースとに分割され、上ベースと下ベースの少なくともいずれか一方には配線収容凹部が表面側に開口して形成されており、さらに、上ベースおよび下ベースの表面を連続して被覆するカバーを有してなるので、幅木としての機能に加えて配線用部材としての機能を兼用できるものである。
【００２５】
幅木本体を構成する上ベースと下ベースの少なくともいずれか一方には配線収容凹部が表面側に開口して形成されているので、これらベースを取り付けた後に部屋側から配線を敷設することができ、しかも、配線収容凹部および該凹部に収容された配線はカバーによって被覆隠蔽されるので美観を損ねることがない。
【００２６】
幅木本体が上ベースと下ベースとに分割され、これらの間に所要の隙間を設けた状態で施工することができるので、床面の不陸を吸収することができる。
【図面の簡単な説明】
【図１】本発明の一実施形態による幅木を示す縦断面図である。
【図２】図１の幅木における上ベースを示す縦断面図である。
【図３】図１の幅木における下ベースを示す縦断面図である。
【図４】図１の幅木におけるカバーを示す縦断面図である。
【図５】図１の幅木を上ベースと下ベースとの間に任意高さの隙間が形成されように施工した状態を示す縦断面図である。
【符号の説明】
１　上ベース
２　下ベース
３　カバー
４　上ベースのカバー固定溝
５　上ベースの配線収容溝
６（６ａ，６ｂ）　上ベースのシート
７　下ベースの配線収容溝
８　下ベースのシート
９　両面テープ
１０　上ベースと下ベースとの間の隙間
１１　配線
１２　カバー下端と下ベース下端（床面）との間の隙間
【図１】
2004108037.tif 000003
【図２】
2004108037.tif 000004
【図３】
2004108037.tif 000005
【図４】
2004108037.tif 000006
【図５】
2004108037.tif 000007